(57)【要約】【課題】レンズ直下の位置からレンズ直下から外れた端部まで、異なる合焦位置を有する被写体の、一様にピントが合った画像を得ることを目的とする。【解決手段】異なる合焦位置にて被写体に対して複数回の撮像を行う撮像部と、各合焦位置に対して複数の撮像素子が撮像する画像情報のうちピントがあう画像情報が得られる領域を対応付けて記憶した記憶部を参照して、前記複数回の撮像のそれぞれに対して特定される領域の情報から撮像の情報を作成する作成部と、を有する撮像装置が提供される。【選択図】図７
2018093390.tif 000002
【特許請求の範囲】
【請求項１】
異なる合焦位置にて被写体に対して複数回の撮像を行う撮像部と、
各合焦位置にて複数の撮像素子が撮像する画像情報のうちピントがあう画像情報が得られる領域を前記各合焦位置に対応付けて記憶した記憶部を参照して、前記複数回の撮像のそれぞれに対して特定される領域の情報から撮像の情報を作成する作成部と、
を有する撮像装置。
【請求項２】
前記作成部は、前記記憶部を参照して、前記複数回の撮像時における合焦位置の変化に応じて撮像範囲の周辺部の領域から中央部の領域まで順に得られる領域の情報、又は撮像範囲の中央部の領域から周辺部の領域まで順に得られる領域の情報から撮像の情報を作成する、
請求項１に記載の撮像装置。
【請求項３】
異なる合焦位置にて被写体に対して複数回の撮像を行う撮像部と、
各合焦位置にて複数の撮像素子が撮像する画像情報のうちピントがあう画像情報が得られる領域を前記各合焦位置に対応付けて記憶した記憶部を参照して、前記複数回の撮像のそれぞれに対して特定される領域の情報から撮像の情報を作成する作成部と、
前記作成した撮像の情報の文字認識を行う文字認識部と、
を有する文字認識装置。
【請求項４】
異なる合焦位置にて被写体に対して複数回の撮像を行う処理と、
各合焦位置にて複数の撮像素子が撮像する画像情報のうちピントがあう画像情報が得られる領域を前記各合焦位置に対応付けて記憶した記憶部を参照して、前記複数回の撮像のそれぞれに対して特定される領域の情報から撮像の情報を作成する処理と、
をコンピュータに実行させるための撮像情報作成プログラム。
【発明の詳細な説明】
【技術分野】
【０００１】
本発明は、撮像装置、文字認識装置及び撮像情報作成プログラムに関する。
【背景技術】
【０００２】
画像を取得し、取得した画像を文字認識する機器がある。例えば、フラットヘッドスキャナのように、平らな台に原稿を設置し、ヘッドを移動させながら画像を読み取る場合、被写体の各位置と読み取りレンズとは、同じ距離となる。
【０００３】
一方、オーバヘッドスキャナや書画カメラ等では、図１に示すように、書画カメラ等に内蔵された撮像素子１３により被写体１００の全面の画像を一度に読み取る。この場合、レンズ１１の像面湾曲のために中央部と周辺部とでフォーカスのあう距離が異なっており、レンズ１１から被写体１００のレンズ直下までの距離と、被写体１００の端部までの距離とには差が生じる。例えば、中央部にフォーカスを合わせると、原稿の周辺の方がぼやけてしまう。そのため、被写界深度（以下、「合焦距離」という。）が浅いと、図１に示すように、被写体１００のレンズの正面位置ａにピントがあっている状態でも、被写体１００の端部ｂではピントがずれることになる。
【０００４】
そこで、フォーカスブラケット撮影で焦点位置を移動させて複数の撮影を行い、その撮影により得た複数の画像の中から、主要被写体に合焦した画像を取り出す技術が知られている（例えば、特許文献１参照）。
【先行技術文献】
【特許文献】
【０００５】
【特許文献１】特開２０１０−１１４５７７号公報
【発明の概要】
【発明が解決しようとする課題】
【０００６】
しかしながら、上記の方法では、ピントを合わせる位置をユーザが任意に設定する必要がある。また、上記の方法では、画像の合成を行う際の処理の負荷が高く、また、必要なメモリ容量が増大する。
【０００７】
そこで、一側面では、本発明は、レンズ直下の位置からレンズ直下から外れた端部まで、異なる合焦位置を有する被写体の、一様にピントが合った画像を得ることを目的とする。
【課題を解決するための手段】
【０００８】
一つの案では、異なる合焦位置にて被写体に対して複数回の撮像を行う撮像部と、各合焦位置に対して複数の撮像素子が撮像する画像情報のうちピントがあう画像情報が得られる領域を対応付けて記憶した記憶部を参照して、前記複数回の撮像のそれぞれに対して特定される領域の情報から撮像の情報を作成する作成部と、を有する撮像装置が提供される。
【発明の効果】
【０００９】
一側面によれば、レンズ直下の位置からレンズ直下から外れた端部まで、異なる合焦位置を有する被写体の、一様にピントが合った画像を得ることができる。
【図面の簡単な説明】
【００１０】
【図１】カメラによる撮影の一例を示す図。
【図２】一実施形態に係るカメラのハードウェア構成の一例を示す図。
【図３】一実施形態に係るタブレット端末のハードウェア構成の一例を示す図。
【図４】一実施形態に係るカメラの機能構成の一例を示す図。
【図５】一実施形態に係る読取データテーブルの一例を示す図。
【図６】一実施形態に係るタブレット端末の機能構成の一例を示す図。
【図７】一実施形態に係る撮像情報作成処理の一例を示すフローチャート。
【図８】一実施形態に係る撮影時の部分画像情報読取の一例を示す図。
【図９】一実施形態に係るシステム構成の一例を示す図。
【発明を実施するための形態】
【００１１】
以下、本発明の実施形態について添付の図面を参照しながら説明する。なお、本明細書及び図面において、実質的に同一の機能構成を有する構成要素については、同一の符号を付することにより重複した説明を省く。
＜第１実施形態＞
［撮像装置のハードウェア構成の一例］
まず、本発明の一実施形態に係る撮像装置のハードウェア構成の一例について、図２を参照しながら説明する。図２は、本実施形態に係る撮像装置の一例であるデジタルカメラ１０のハードウェア構成の一例を示す。
【００１２】
本実施形態に係るデジタルカメラ１０は、レンズ１１、レンズ駆動機構１２、撮像素子１３、ＭＰＵ（Micro-processing unit）１４、ＲＯＭ（Read Only Memory）１５、ＲＡＭ（Random Access Memory）１６及び通信インターフェース１７を有する。
【００１３】
レンズ１１は、ズームレンズ、フォーカスレンズ、絞り及びメカシャッタを含む。レンズ１１は、レンズ駆動機構１２により駆動されてズーミング、フォーカシング、絞りの開口量（Ｆ値）の変更及びメカシャッタの開閉を行う。レンズ駆動機構１２は、オートフォーカスの機能を実現する。
【００１４】
撮像素子１３は、レンズ１１の後段に配置され、レンズ１１を透過した被写体光を受光する。ＲＯＭ１５は、各種の基本プログラム及びデータを格納する不揮発性のメモリである。ＲＡＭ１６は、撮像情報の作成を実行するための撮像情報作成プログラムや各種のテーブルを一時保持する揮発性のメモリである。
【００１５】
ＭＰＵ１４は、ＲＯＭ１５やＲＡＭ１６等の記憶装置から、基本プログラム、撮像情報作成プログラム及び各種のデータを読み出し、装置の基本処理、撮像情報作成処理等の処理を実行することで、装置全体の制御や搭載機能を実現する演算装置である。
【００１６】
通信インターフェース１７は、デジタルカメラ１０をネットワークに接続するためのインターフェースである。これにより、デジタルカメラ１０は、通信インターフェース１７を介して、他の機器（例えば、ＯＣＲ（Optical character recognition）装置等）とデータ通信を行うことができる。
【００１７】
［撮像装置のハードウェア構成の他例］
次に、、本実施形態に係る撮像装置のハードウェア構成の他の例について、図３を参照しながら説明する。図３は、本実施形態に係る撮像装置の他の例であるタブレット端末２０のハードウェア構成の一例を示す。
【００１８】
本実施形態に係るタブレット端末２０は、カメラ機構１０'、タッチパネル２１、ＵＳＢ（Universal Serial Bus）コントローラ２２、ＣＰＵ（Central Processing Unit）２３、ＲＯＭ２４、ＲＡＭ２５、ＬＣＤ（liquid crystal display）２６、通信インターフェース２７及び電源２８を有する。
【００１９】
カメラ機構１０'は、レンズ１１、レンズ駆動機構１２及び撮像素子１３を有する。レンズ１１、レンズ駆動機構１２及び撮像素子１３の各機能は、図２に示したデジタルカメラ１０の対応する各部の機能と同一であるため、ここでは説明を省略する。
【００２０】
タッチパネル２１は、たとえばガラスやプラスチック等から形成され、光透過性を有する基盤本体と、基盤本体の上に面状に設けられ、光透過性を有する位置検出用電極と、位置検出用電極上に設けられた絶縁層とを有する静電容量タッチパネルであってもよい。タッチパネル２１は、ディスプレイの一例であるＬＣＤ２６の前面に配置され、ＬＣＤ２６に表示された画像に対応する部分に触れることにより、当該画像に対応する座標データの入力が可能となっている。
【００２１】
カメラ機構１０'及びタッチパネル２１は、ＵＳＢコントローラ２２を介してＣＰＵ２３に接続されている。ＲＯＭ２４及びＲＡＭ２５は、図２のＲＯＭ１５及びＲＡＭ１６と同一であるため、ここでは説明を省略する。
【００２２】
ＣＰＵ２３は、ＲＯＭ２４やＲＡＭ２５等の記憶装置から、基本プログラム、撮像情報作成プログラム及び各種のデータを読み出し、装置の基本処理、撮像情報作成処理等の処理を実行することで、装置全体の制御や搭載機能を実現する演算装置である。
【００２３】
通信インターフェース２７は、タブレット端末２０をネットワークに接続するためのインターフェースである。これにより、タブレット端末２０は、通信インターフェース２７を介して、他の機器とデータ通信を行うことができる。電源２８は、電源ボタンがオンされると、各部に電力を供給する。
【００２４】
［撮像装置の機能構成の一例］
次に、本実施形態に係る撮像装置の機能構成の一例について、図４を参照しながら説明する。図４は、本実施形態に係る撮像装置の一例であるデジタルカメラ１０の機能構成の一例を示す。
【００２５】
本実施形態に係るデジタルカメラ１０は、レンズ駆動部３１、撮像部３２、記憶部３３、読取部３６及び作成部３７を有する。レンズ駆動部３１は、レンズ１１の位置を移動させ、被写体１００のフォーカスを合わせる位置を変更する。レンズ駆動部３１は、被写体１００の読み取り時に、フォーカスを合わせる位置を被写体１００の中央部から周辺部に向かって合うようにレンズ１１の位置を移動させる。レンズ駆動部３１は、被写体１００の読み取り時に、フォーカスを合わせる位置を被写体１００の周辺部から中央部に向かって合うようにレンズ１１の位置を移動させてもよい。
【００２６】
撮像部３２は、撮像素子１３を用いて被写体１００を撮影する。撮像部３２は、異なる合焦位置で被写体１００に対して複数回の撮像を行う。
【００２７】
記憶部３３は、読取データテーブル３４、撮像情報作成プログラム３５及び各種データを記憶する。読取データテーブル３４の一例を図５に示す。図５（ａ）に示すように、読取データテーブル３４は、レンズ１１の移動距離と画像の読取領域とを対応付けて記憶している。具体的には、読取データテーブル３４は、各合焦位置に対して複数の撮像素子１３が撮像する画像情報のうちピントがあう画像情報が得られる領域を対応付けて記憶する。図５（ａ）に示した画像の読取領域は、図５（ｂ）に示す複数の撮像素子１３上の画像の読み取る箇所を示す。領域Ａ〜領域Ｇは、異なるレンズ１１の移動距離、すなわち異なる合焦位置において、複数の撮像素子１３上の画像のうち読み取る箇所の部分画像情報である。読み取る箇所撮像範囲の周辺部の領域から中央部の領域まで順に得られる領域
図４の読取部３６は、複数の撮像素子１３上の画像の読み取る箇所の部分画像情報の読み取りを行う。これにより、複数回の撮像のそれぞれにおいて、複数の撮像素子１３が撮像する画像情報のうちピントがあう画像情報が得られる。
【００２８】
読取部３６は、読取データテーブル３４を参照して、撮像素子１３上の「フォーカスの合っている部分が映し出される」箇所の部分画像情報読み取りを行う。例えば、読取データテーブル３４に定義されたレンズ１１の移動距離が０ｍｍの場合、フォーカスを合わせる位置は、被写体１００の中央部である。この場合、読取部３６は、図５（ａ）に示す読取データテーブル３４に定義された読取領域を参照して、図５（ｂ）に示す撮像エリアＡｒのうち、中央部の「Ａ」の領域の部分画像情報を読み取る。
【００２９】
レンズ駆動部３１は、レンズ１１の位置を移動させ、レンズ１１の移動距離が０．２ｍｍである場合、読取部３６は、図５（ａ）に示す読取データテーブル３４に定義された読取領域を参照して、図５（ｂ）に示す複数の撮像素子１３上の画像のうち、「Ａ」領域の外周の「Ｂ」の領域の部分画像情報を読み取る。このようにして、読取部３６は、読取データテーブル３４に基づき、複数の撮像素子１３が撮像する画像情報のうちピントがあう画像情報が得られる領域の部分画像情報を読み取る。
【００３０】
このようにして、例えば、レンズ駆動部３１が、フォーカスを合わせる位置が被写体１００の中央部から周辺部に向かって動くようにレンズ１１の位置を移動させた場合、読取部３６は、合焦位置の変化に応じて複数の撮像素子１３による撮像範囲の中央部の領域から周辺部の領域まで、順に得られる領域の情報を読み取る。図５の読取データテーブル３４を参照した場合、読取部３６は、領域Ａから領域Ｇまでの部分画像情報を読み取る。
【００３１】
また、例えば、レンズ駆動部３１が、フォーカスを合わせる位置を被写体１００の周辺部から中央部に向かって合うようにレンズ１１の位置を移動させた場合、読取部３６は、合焦位置の変化に応じて複数の撮像素子１３による撮像範囲の周辺部の領域から中央部の領域まで、順に得られる領域の情報を読み取る。図５の読取データテーブル３４を参照した場合、読取部３６は、領域Ｇから領域Ａまでの部分画像情報を読み取る。
【００３２】
撮像時、読取部３６は、レンズ１１の移動距離が０ｍｍのときには、Ａ領域の撮像素子１３上の画像をＡ領域に対応する記憶部３３のアドレスに格納する。次に、読取部３６は、レンズ１１の移動距離を０．２ｍｍにした状態で、Ｂ領域の撮像素子１３上の画像をＡ領域に対応する記憶部３３のアドレスに格納する。これを、Ｃ領域〜Ｇ領域に対応する記憶部３３のアドレスに格納する。作成部３７は、記憶部３３を参照して、複数回の撮像のそれぞれに対して特定される領域の情報から撮像の情報を作成する。これにより、被写体１００の中央部から周辺部まですべてのフォーカスが合った画像を読み取ることができる。
【００３３】
図５の読取データテーブル３４の場合、撮像部３２は、７回の撮像を行い、作成部３７は、７回の撮像のそれぞれに特定された領域の部分画像情報を使用して被写体１００の画像情報を作成する。
【００３４】
以上のように、本実施形態では、フォーカスが中央にある状態からどの程度レンズ１１を移動すると周辺部にフォーカスが合うかについてのデータを、図５の読取データテーブル３４に予め記憶しておく。そして、レンズ１１を移動させて、中央部から周辺部へ又は周辺部から中央部へフォーカス（合焦位置）を移動させたとき、読取データテーブル３４に応じてフォーカスされている読み取り位置が特定される。
【００３５】
これにより、中央部から周辺部へ又は周辺部から中央部へフォーカスを合わせる処理を省く。これにより、中央部から周辺部又は周辺部から中央部に高速にフォーカスを移動することができ、手ブレによるイメージ読み出しのブレを最小限に抑えることができる。
【００３６】
なお、図５の読取データテーブル３４は、７段階の画像の読取領域に分かれているが、これに限らない。読取データテーブル３４は、例えば周囲の領域と中央の領域というように２段階に画像の読取領域を分けて記憶してもよいし、３段階以上に画像の読取領域を分けて記憶してもよい。
【００３７】
本実施形態に係るデジタルカメラ１０では、ＭＰＵ１４が、記憶部３３に格納された撮像情報作成プログラム３５及び各種データを用いて撮像情報作成処理を実行する。これにより、読取部３６及び作成部３７の機能が実現される。
【００３８】
なお、読取データテーブル３４に記憶された情報は、記憶部３３又はネットワークを介して接続されるサーバ、その他のクラウド上のサーバ等に格納され得る。
【００３９】
仮に、読取部３６により２段階の画像の読取領域に分けられた読取データテーブル３４が選択された場合、撮像部３２は、レンズを移動させて２回の撮影を行う。この場合、作成部３７は、２箇所の合焦位置のそれぞれに対してピントがあう画像情報が得られる異なる領域を対応付けて記憶した読取データテーブル３４を参照して、複数回の撮像から異なる特定の領域の情報を使用して撮像の情報を作成する。
【００４０】
［撮像装置の機能構成の他例］
次に、本実施形態に係る撮像装置の機能構成の他の例について、図６を参照しながら説明する。図６は、本実施形態に係る撮像装置の他の例であるタブレット端末２０の機能構成の一例を示す。
【００４１】
本実施形態に係るタブレット端末２０は、レンズ駆動部３１、撮像部３２、記憶部３３、読取データテーブル３４、撮像情報作成プログラム３５、読取部３６、作成部３７、文字認識エンジン３８及び文字認識部３９を有する。
【００４２】
なお、ここでは、図４に示したデジタルカメラ１０と同一機能についての説明を省略し、デジタルカメラ１０の機能にない記憶部３３に記憶された文字認識エンジン３８及び文字認識部３９についてのみ説明する。
【００４３】
文字認識部３９は、文字認識エンジン３８を用いて、作成部３７が作成した被写体１００の画像情報から文字認識を行う。これにより、タブレット端末２０は、ＯＣＲ（Optical character recognition）機能を実現することができる。
【００４４】
なお、図４に示すデジタルカメラ１０及び図６に示すタブレット端末２０は、通信部を有してもよい。これにより、デジタルカメラ１０及びタブレット端末２０は、他の機器に作成した画像情報を通信したり、認識した文字情報を通信したりすることができる。なお、通信部の機能は、例えば通信インターフェース１７、２７により実現可能である。
【００４５】
また、デジタルカメラ１０及びタブレット端末２０のレンズ駆動部３１の機能は、例えばレンズ駆動機構１２により実現可能であり、撮像部３２の機能は、例えば撮像素子１３により実現可能である。デジタルカメラ１０及びタブレット端末２０の記憶部３３の機能は、例えばＲＯＭ１５、２４及びＲＡＭ１６、２５により実現可能である。デジタルカメラ１０の読取部３６及び作成部３７の機能は、例えばＭＰＵ１４により実現可能である。タブレット端末２０の読取部３６、作成部３７及び文字認識部３９の機能は、例えばＣＰＵ２３により実現可能である。
【００４６】
［撮像情報作成処理］
次に、本実施形態に係る撮像情報作成処理の一例について、図７を参照して説明する。図７は、本実施形態に係る撮像情報作成処理の一例を示すフローチャートである。図７の処理は、例えば、タブレット端末２０により実行される。文字認識機能を有しないデジタルカメラ１０では、ステップＳ２０及びステップＳ２２の処理は行わず、ステップＳ１０〜ステップＳ１８の処理が実行される。
【００４７】
まず、撮像部３２は、オートフォーカスの機能により原稿等の被写体１００の中心にフォーカスを合わせ、その状態で撮影を行い、読取部３６は、画像の読み取りを開始する（ステップＳ１０）。
【００４８】
このとき、図８（ａ）に示すように、レンズ１１は移動していないので、レンズ１１の移動距離は０ｍｍである。よって、読取部３６は、読取データテーブル３４を参照して、合焦位置に対応するＡ領域が部分画像情報の読み取りを行う箇所であると判定し、レンズ１１直下の位置であるＡ領域の撮像素子１３上の画像を、Ａ領域に対応する記憶部３３のアドレスに格納する。
【００４９】
次に、レンズ駆動部３１がレンズ１１の移動を開始すると、レンズ１１は、フォーカスが中心部から周辺部へ向かって移動する。これに応じて、読取部３６は、読取データテーブル３４を参照して、撮像部３２による撮像から複数の撮像素子１３上の画像のうち、レンズ１１の移動距離に対応する領域の部分画像情報を読み取る（ステップＳ１２）。
【００５０】
図８（ｂ）に示すように、レンズ１１の移動距離が０．２ｍｍとなったとき、読取データテーブル３４に基づいて、合焦位置となるＢ領域が部分画像情報の読み取りを行う箇所と特定できる。よって、読取部３６は、Ｂ領域の撮像素子１３上の画像を、Ｂ領域に対応する記憶部３３のアドレスに格納する。
【００５１】
次に、読取部３６は、撮像素子１３の全領域の読み取りが完了したかを判定する（ステップＳ１４）。読取部３６は、撮像素子１３の全領域の読み取りが完了していない場合、ステップＳ１２に戻り、ステップＳ１２及びＳ１４の処理を繰り返す。
【００５２】
ここでは、撮像素子１３の全領域の読み取りは完了していない。よって、ステップＳ１２に戻り、レンズ駆動部３１は、レンズ１１を更に移動させ、撮像部３２は、撮像を行う（ステップＳ１２）。図８（ｃ）に示すように、レンズ１１の移動距離が０．４ｍｍとなったとき、読取部３６は、読取データテーブル３４を参照して、Ｃ領域の撮像素子１３上の画像を、Ｃ領域に対応する記憶部３３のアドレスに格納する（ステップＳ１２）。
【００５３】
このようにして、図５に示す読取データテーブル３４に設定したＧ領域の撮像素子１３上の画像を、Ｇ領域に対応する記憶部３３のアドレスに格納するまで、ステップＳ１２及びＳ１４の処理が繰り返される。この時点でステップＳ１４が実行されると、読取部３６は、撮像素子１３の全領域の読み取りが完了したと判定し、撮像部３２は撮影を終了する（ステップＳ１６）。
【００５４】
次に、作成部３７は、記憶部３３を参照して、複数回の撮像のそれぞれに対して特定のアドレスに格納された各部分画像情報から撮像画像情報を作成する（ステップＳ１８）。次に、文字認識部３９は、作成した撮像画像情報の文字認識を行うか否かを判定する（ステップＳ２０）。文字認識部３９は、文字認識すると判定した場合、文字認識エンジン３８を用いて作成部３７が作成した撮像画像情報を出力して、文字認識を行い（ステップＳ２２）、本処理を終了する。一方、字認識部３９は、文字認識しないと判定した場合、そのまま本処理を終了する。
【００５５】
以上に説明したように、本実施形態に係る撮像装置を用いた撮像情報作成処理によれば、レンズ直下の位置からレンズ直下から外れた端部まで、異なる合焦位置を有する被写体１００の、一様にピントが合った画像を得ることができる。
【００５６】
例えば、フォーカスブラケット撮影等の従来技術では、シャッターが５回押され、５回の撮影が行われた場合、撮影された被写体全体の５回分の画像情報のすべてがメモリに転送される。このとき、前の画像情報のメモリ転送が終わらないと、次の画像情報のメモリ転送が行えない。このため、ピントを合わせて５つの領域を撮影し、撮影したそれぞれの画像情報をメモリに転送する際に転送時間がかかる。また、メモリ内に保存された５回分の画像情報からピントがあった領域を抽出し画像を合成する工程に時間がかかる。
【００５７】
これに対して、本実施形態に係る撮像装置を用いた撮像情報作成処理によれば、レンズ１１の移動距離と、合焦位置となる領域（つまり、部分画像情報の読み取り箇所）とを予め記憶した読取データテーブル３４に基づいて、原稿の中央部から周辺部まですべての領域でフォーカスが合った画像を読み取ることができる。上記実施形態の例では、撮像装置は、被写体１００のＡ〜Ｇの領域に対応する撮像素子１３上の画像情報を、Ａ〜Ｇの領域のそれぞれに対応する記憶部３３のアドレスに格納しておく。つまり、撮影された被写体の部分画像情報がメモリに転送されるため、情報量が少ない。よって、転送時間を減らすことができる。また、転送された各領域の部分画像情報から被写体の画像情報を作成することができる。このため、本実施形態では、画像の合成を行う必要がない。これによっても、処理の負荷を低減し、処理の高速化を図ることができる。
【００５８】
以上から、本実施形態に係る撮像装置を用いた撮像情報作成処理によれば、レンズ直下の位置からレンズ直下から外れた端部まで、異なる合焦位置を有する被写体１００の、一様にピントが合った画像を得ることができる。その際、被写体１００の一様にピントが合った画像を得るまでの処理の負荷を小さくし、短時間で所望の画像を作成できる。この結果、作成された画像情報に基づき文字認識を行うことで、被写体（原稿等）の文字を精度良く認識することができるとともに、被写体１００の撮影から文字認識結果の出力までを短時間で行うことができる。
【００５９】
また、中央から周辺への高速なフォーカス移動により、手ブレによるイメージ読み出しのブレも最小限に抑えることができる。
【００６０】
以上、撮像装置、文字認識装置及び撮像情報作成プログラムを上記実施形態により説明したが、本発明に係る撮像装置、文字認識装置及び撮像情報作成プログラムは上記実施形態に限定されるものではなく、本発明の範囲内で種々の変形及び改良が可能である。また、上記実施形態及び変形例が複数存在する場合、矛盾しない範囲で組み合わせることができる。
【００６１】
例えば、本発明に係る撮像装置は、デジタルカメラ１０やタブレット端末２０に限らない。本発明に係る撮像装置は、撮像機能を有するスマートフォン、ＰＤＡ（Personal Digital Assistants）、携帯電話、携帯用映像処理装置、ＨＭＤ（Head Mount Display）、ＦＭＤ（Face Mount Display）等のウェアラブル表示デバイスに適用されてもよい。
【００６２】
また、例えば、本実施形態に係る撮像装置を含むシステムは、用途や目的に応じて様々なシステム構成例があることは言うまでもない。例えば、図９（ａ）に示すように、デジタルカメラ１０、タブレット端末２０及びその他の機器（ＰＣ５０、スマートフォン６０等）がネットワーク３０を介して互いに接続されているシステム形態は、本実施形態に係るシステムの一態様である。
【００６３】
この場合、デジタルカメラ１０にて図８の画像作成処理（ステップＳ１０〜ステップＳ１８）を行い、タブレット端末２０にて図８の文字認識処理（ステップＳ２０、ステップＳ２２）を行ってもよい。また、タブレット端末２０にて図８の全ステップの処理を行ってもよい。また、ＰＣ５０、スマートフォン６０が文字認識機能を有していれば、デジタルカメラ１０にて画像作成処理を行い、タブレット端末２０、ＰＣ５０又はスマートフォン６０にて文字認識処理を行ってもよい。
【００６４】
このようにして、撮像情報作成処理のうち、画像作成処理と文字認識処理とを別の機器で行い、処理を分散させてもよいし、画像作成処理と文字認識処理とを一の機器で行ってもよい。
【００６５】
以上の説明に関し、更に以下の項を開示する。
（付記１）
異なる合焦位置にて被写体に対して複数回の撮像を行う撮像部と、
各合焦位置にて複数の撮像素子が撮像する画像情報のうちピントがあう画像情報が得られる領域を前記各合焦位置に対応付けて記憶した記憶部を参照して、前記複数回の撮像のそれぞれに対して特定される領域の情報から撮像の情報を作成する作成部と、
を有する撮像装置。
（付記２）
前記作成部は、前記記憶部を参照して、前記複数回の撮像時における合焦位置の変化に応じて撮像範囲の周辺部の領域から中央部の領域まで順に得られる領域の情報、又は撮像範囲の中央部の領域から周辺部の領域まで順に得られる領域の情報から撮像の情報を作成する、
付記１に記載の撮像装置。
（付記３）
異なる合焦位置にて被写体に対して複数回の撮像を行う撮像部と、
各合焦位置にて複数の撮像素子が撮像する画像情報のうちピントがあう画像情報が得られる領域を前記各合焦位置に対応付けて記憶した記憶部を参照して、前記複数回の撮像のそれぞれに対して特定される領域の情報から撮像の情報を作成する作成部と、
前記作成した撮像の情報の文字認識を行う文字認識部と、
を有する文字認識装置。
（付記４）
前記作成部は、前記記憶部を参照して、前記複数回の撮像時における合焦位置の変化に応じて撮像範囲の周辺部の領域から中央部の領域まで順に得られる領域の情報、又は撮像範囲の中央部の領域から周辺部の領域まで順に得られる領域の情報から撮像の情報を作成する、
付記３に記載の文字認識装置。
（付記５）
異なる合焦位置にて被写体に対して複数回の撮像を行う処理と、
各合焦位置にて複数の撮像素子が撮像する画像情報のうちピントがあう画像情報が得られる領域を前記各合焦位置に対応付けて記憶した記憶部を参照して、前記複数回の撮像のそれぞれに対して特定される領域の情報から撮像の情報を作成する処理と、
をコンピュータに実行させるための撮像情報作成プログラム。
（付記６）
前記記憶部を参照して、前記複数回の撮像時における合焦位置の変化に応じて撮像範囲の周辺部の領域から中央部の領域まで順に得られる領域の情報、又は撮像範囲の中央部の領域から周辺部の領域まで順に得られる領域の情報から撮像の情報を作成する処理を含む、
付記５に記載の撮像情報作成プログラム。
【符号の説明】
【００６６】
１０  デジタルカメラ
１１  レンズ
１２  レンズ駆動機構
１３  撮像素子
１４  ＭＰＵ
１５  ＲＯＭ
１６  ＲＡＭ
１７  通信インターフェース
２０  タブレット端末
２１  タッチパネル
２２  ＵＳＢコントローラ
２３  ＣＰＵ
２４  ＲＯＭ
２５  ＲＡＭ
２６  ＬＣＤ
２７  通信インターフェース
３１  レンズ駆動部
３２  撮像部
３３  記憶部
３４  読取データテーブル
３５  撮像情報作成プログラム
３６  読取部
３７  作成部
３８  文字認識エンジン
３９  文字認識部
１００  被写体
【図１】
2018093390.tif 000003
【図２】
2018093390.tif 000004
【図３】
2018093390.tif 000005
【図４】
2018093390.tif 000006
【図５】
2018093390.tif 000007
【図６】
2018093390.tif 000008
【図７】
2018093390.tif 000009
【図８】
2018093390.tif 000010
【図９】
2018093390.tif 000011